(57)【要約】      （修正有）【課題】手間もしくはコストを要しない、折り畳み作業の煩わしさのない極めてシンプルで、それゆえに色んな場所に取り付け可能な後付けタイプの物干し装置を提供する。【解決手段】物干し部１ｂの一端に垂下状の支軸部１ａを設け、他端部に、垂下状の支柱部１ｐを設け、支柱部１ｐの下端部に台足部を取り付けた物干し体１と、所定の場所に取り付けられ、所定の場所で支軸部１ａを受軸し、水平方向に回動自在に固定する軸受け具２とからなる物干しシステム。【選択図】図１
2009247850.tif 000002
【特許請求の範囲】
【請求項１】
物干し部の一端に垂下状の支軸部を設け、他端部に、垂下状の支柱部を設け、前記支柱部の下端部に台足部を取り付けた、物干し体。
【請求項２】
物干し部の一端に垂下状の支軸部を設け、他端部に、垂下状の支柱部を設け、前記支柱部の下端部に台足部を取り付けた、物干し体と、所定の場所に取り付けられ、前記所定の場所で、前記支軸部を、受軸し、水平方向に、回動自在に固定する、軸受け具と、からなる、物干しシステムであって、前記軸受け具が、支持部と、取り付け台からなる、物干しシステム。
【請求項３】
物干し部の一端に垂下状の支軸部を設け、他端部に、垂下状の支柱部を設け、前記支柱部の下端部に台足部を取り付けた、物干し体と、所定の場所に取り付けられ、前記所定の場所で、前記支軸部を、受軸し水平方向に、回動自在に固定する、軸受け具と、からなる、物干しシステムであって、前記軸受け具が、支持部と、取り付け台からなる、物干しシステム、を具備する、角形の枠体もしくは箱体であって、前記物干し体が、前記角形の枠体もしくは箱体の、上面及び側面、もしくは前面、に沿って、収納される形状に形成され、かつ、前記物干し体、及び前記軸受け部を、前記角形の枠体もしくは箱体の上面及び側面、もしくは前面、の所定の場所に、各各配備した、角形の枠体もしくは箱体。
【請求項４】
支軸部の形状が、雄螺子状で、軸受け具を構成する支持部の形状が雌螺子状である、もしくは、支軸部の形状が、雌螺子状で、軸受け具を構成する支持部の形状が、雄螺子状で、かつ、台足部が、支柱部下端部に対して、高さ調整可能な、螺子着方式で、取りり付けられる、請求項１記載の物干し体、請求項２記載の物干しシステム、請求項３記載の枠体もしくは箱体。
【発明の詳細な説明】
【技術分野】
【０００１】  本発明は、物干し部と支柱部が一体に成った、簡易に、ベランタ用物干し又は、室内物干しとして利用できる、物干し体及び物干しシステムに関するものである。
【背景技術】
【０００２】  従来より、雨天時に使用する、様々なタイプの折り畳み式室内用物干しが考えられ、市場に提供されてきた。
また、ベランダの手摺りや、壁面で物干し竿を支持するための物干し具や、戸棚、収納庫などの常設物に対して、物干し部を設けたもの等が、数々考えられている。
室内物干しの代表的な例としては、Ｘ字状に開いた状態で使用されるもの、パーテーション式のもの、複数の四角フレームが扇形に開閉するものなどがある。
また、他の物干し具としては、特開２００４−００８６６８の、物干しの壁面取り付け装置、特開２００５−３２９２０８の、物干し受け、特開２００１−１７８９６６の、戸棚格納式の物干し具、さらに、常設使用される収納庫の背面側に物干しバーを設けたもの（特開２００４−２４２９４３）や、整理棚を、物干し台の重しとして利用する整理棚付きハンガー掛け（特開２０００−１３９６６７）などがある。
【発明の開示】
【発明が解決しようとする課題】
【０００３】  しかし、多くの場合、物干し竿、及び屋外物干し台が有するシンプルな形態と異なり、、何らかの折り畳み構造や、格納構造なと、手間もしくはコストを要する構成であった。
折り畳み式室内物干しは、折り畳み作業の煩わしさが伴う。
そして、常設状態だと嵩高く、折り畳み状態では自立できないので、壁面などに立て掛けておく収納スペースを要するため、収納形態の見栄えが良くない。
特開２００４−００８６６８、特開２００５−３２９２０８、特開２００１−１７８９６６のものは、いずれも、通常の屋外物干しに比べ、構成、構造が複雑で、コスト面や製造面での課題がある。
常設使用される収納庫の背面側に物干しバーを設けたもの（特開２００４−２４２９４３）は、物干しバーが、収納庫の背面に設けられており、収納庫機能と物干し機能、双方の機能の使用ごとに、向きや位置を変える必要があり、使い勝手の面で不便さがある。
収納形態の改善に関しては、特に開示されていない。
整理棚を、物干し台の重しとして利用する整理棚付きハンガー掛け（特開２０００−１３９６６７）は、安定効果は得られるが、物干しそのものの収納性に関しては、開示がなく、嵩高さを感じさせる収納形態である。
本発明は、上記の課題点をふまえ、通常の物干し竿、及び屋外物干し台が有するシンプルな形態と使い勝手を基凖にし、構成が簡単で、かつ室内物干し、もしくは、後付け物干しとして、容易に利用できる、物干し体、及び物干しシステムを提供する。
【課題を解決するための手段】
【０００４】  本発明は、上記課題を解決するために、次の構成を提供する。【０００５】  請求項１記載の発明は、物干し部の一端に垂下状の支軸部を設け、他端部に、垂下状の支柱部を設け、前記支柱部の下端部に台足部を取り付けた、物干し体を、提供する。【０００６】  請求項２記載の発明は、物干し部の一端に垂下状の支軸部を設け、他端部に、垂下状の支柱部を設け、前記支柱部の下端部に台足部を取り付けた、物干し体と、所定の場所に取り付けられ、前記所定の場所で、前記支軸部を、受軸し、水平方向に、回動自在に固定する、軸受け具と、からなる、物干しシステムであって、前記軸受け具が、支持部と、取り付け台と、からなる物干しシステムを、提供する【０００７】  請求項３記載の発明は、物干し部の一端に垂下状の支軸部を設け、他端部に、垂下状の支柱部を設け、前記支柱部の下端部に台足部を取り付けた、物干し体と、所定の場所に取り付けられ、前記所定の場所で、前記支軸部を、受軸し水平方向に、回動自在に固定する、軸受け具と、からなる、物干しシステムであって、前記軸受け具が、支持部と、取り付け台と、からなる物干しシステムを、具備する、角形の枠体もしくは箱体であって、前記物干し体が、前記角形の枠体もしくは箱体の、上面及び側面、もしくは前面、に沿って、収納される形状に形成され、かつ、前記物干し体、及び前記軸受け部を、前記角形の枠体もしくは箱体の上面及び側面、もしくは前面、の所定の場所に、各各配備した、角形の枠体もしくは箱体を、提供する。【０００８】  請求項４記載の発明は、支軸部の形状が、雄螺子状態で、軸受け具を構成する支持部の形状が、雌螺子である、もしくは、支軸部の形状が、雌螺子状態で、軸受け具を構成する支持部の形状が、雄螺子で、かつ台足部が、支柱部下端部に対して、高さ調整可能な、螺子着方式で、取り付けられる、請求項１記載の物干し体、請求項２記載の物干しシステム、請求項３記載の枠体もしくは箱体、を提供する。
【発明の効果】
【０００９】  本発明は、上記のように構成したことにより、次の効果をもたらす。【００１０】  請求項１のは発明は、極めてシンプルで、それゆえに、色んな場所に取り付け可能な、後付けタイプの物干し体を提供する事ができる。
物干し部と支柱部と支軸部を一体に形成すれば、取り扱いの面で便利である。【００１１】  請求項２の発明は、軸受け部を、ベランダの手摺り、壁面、などの所定の場所に取り付ければ、着脱自在なかたちで、かつ回動自在な状態で、物干し体を、後付け的に設けることができる。
室内の壁や柱に実施すれば、室内物干しとして利用することもできる。【００１２】  請求項３の発明を、収納棚に対して、実施すれば、物干し体の物干し部を、収納棚の上面板上に収まるかたちで、また、支柱部を前記収納棚の側面板に沿って収めることができる、すなはち、室内の床面に対して、新たな収納スペースを要しないで済む。【００１３】  また、前記物干し体は、収納棚の所定の場所に設けられた、軸受け部に支持され、かつ水平方向に、回動自在になるように固定されているので、前記物干し体に対する、開閉作業だけで、物干しの使用、及び収納が可能になる。
さらに、支持脚となる支柱部を有しているので、物干し体の重みがかかることなく、操作できるので、折り畳み式の物干しに比べ、作業が楽である。【００１４】  このように、室内物干しとして、実施した場合、従来のもの比べ、省スペース性、作業の容易性、収納形態の見栄え等の面で、有効である。【００１５】  さらに、室内の窓枠や戸枠回りに、最小スペースで、室内物干しを設置することも可能になる。（図１３、図１４参照）
通常の室内設置タイプの物干しに比べ、極めて、簡易かつ安価に設置可能である。
構成がシンプルなので、室内スペースに応じて、様々な形状、形態の物干し設置が可能となる。
【発明を実施する最良の形態】
【００１６】  以下、本発明の実施の形態を図１〜図１７に基づいて説明する。
【００１７】  図１は、請求項１及び２記載のものの、一実施形態を示した、第一の実施例の正面図である。
図２は、第一の実施例の側面図である。
物干し部１ｂの一端に垂下状の支軸部１ａを設け、他端部に、垂下状の支柱部１ｐを設け、前記支柱部１ｐの下端部に台足部１ｆを取り付けた、物干し体１を形成し、一方、壁面の所定の場所に、円筒状の支持部２ａと取り付け台２ｂからなる軸受け具２を設け、前記支軸部１ａを、前記支持部２ａに挿入し、水平方向に、回動自在に固定してある。
【００１８】  これにより、シンプルな構成の、取り付け式物干しを設けることができる。
軸受け具２を、壁面の所定の場所に取り付ければ、着脱自在なかたちで、かつ回動自在な状態で、物干し体を、設けることができる。
これにより、壁面に対して、直角状態で物干しを利用し、略平行状態で、壁面に寄せて収納することができる。
室内の壁や柱に実施すれば、簡易に、室内物干しを設けることができる。
また、図３、図４例示の、第二、第三の実施例のように、支柱部と台足部を、もしくは、支柱部の上部と下部を、はめ込み式、もしくは螺子着式にすれば、より収納しやすくなり、室内物干し用に好適である。
【００１９】  極めてシンプルな構成で、色んな形状の軸受け具との組み合わせが可能であるので、軸受け部を変えるだけで、容易に、使用場所を変えることができ、多用途に活用できる。
【００２０】  なお、物干し部及び支柱部の形状、及び材質は、通常の物干し竿の形状、材質に限らず、金属製や木製、或いは合成樹脂製の、強度を有する板状のものでもよい。
【００２１】  室内物干しとして実施する場合は、曲げ木加工の木材を使えば、趣があり好適である。
【００２２】  図５は、第四の実施例の正面図である。
請求項３記載のものの、一実施形態を示してある。
物干し部１ｂの一端に垂下状の支軸部１ａを設け、他端部に、垂下状の支柱部１ｐを設け、前記支柱部１ｐの下端部に台足部１ｆを取り付けた、物干し体１を形成し、収納棚３の一側面３Ｓ所定の場所に、円筒状の支持部２ａと取り付け台２ｂからなる軸受け具２を取り付け、前記支軸部１ａを、前記支持部２ａに挿入し、前記軸受け具２を中心に、水平方向に、回動自在に固定してある。
さらに、前記物干し体１は、前記収納棚３の、上面及び側面に沿って収納される形状に形成され、所定の場所に配備されている。
【００２３】  これにより、物干し体１の、物干し部１ｂを、収納棚の上面板３Ｕ上に収まるかたちで、また、支柱部１ｐを前記収納棚３の側面板３Ｓに沿って収めることができる、すなはち、室内の床面に対して、新たな収納スペースを要しないで済む。（図６参照）
【００２４】  また、前記物干し体１は、収納棚３の所定の場所に設けられた、軸受け具２に支持され、かつ水平方向に、回動自在になるように固定されているので、前記物干し体１に対する、開閉作業だけで、物干しの使用、及び収納が可能になる。（図７参照）
さらに、支持脚となる支柱部を有しているので、物干し体の重みがかかることなく、操作できるので、作業が楽である。
【００２５】  このように、本発明は、常設可能な室内物干しとして、利用でき、かつ従来のもの比べ、省スペース性、作業の容易性、さらに、収納形態の見栄え等の面で、有効である。
【００２６】  図８〜図１２例示のものは、請求項３記載の発明の、他の実施形態を表している。
それぞれ、第五、第六、第七、の実施例を示してある。
図８は、第二の実施例のものに対し、大きさの異なる、第二の物干し体を、異なる場所に設けた、第五の実施例の正面図である。
必要に応じて、物干し体の設置本数や設置場所を、任意に選択しても良い。
【００２７】  図９と図１０は、第六の実施例の、正面図と平面図である。
これは、支軸部と支柱部を、収納棚の側面板の内側に沿って収納できるようにしたもので、支軸部を、上面板に設けた貫通穴から、軸受け具に挿入し、一方、支柱部を収める、上面板、各中間板、底面板の、各各の前部の、軸受け具を設ける側面板と反対側の側面寄り所定の場所に、切り欠き部を設けてある。
より省スペース化が可能になる。
【００２８】  図１１と図１２は、第七の実施例の、正面図と側面図である。
物干し部を、収納棚の上面板に対して、所定の間隔を空けて、上面板上に収まるように形成してある。
この実施例は、横長の収納棚の、上面空間を広く使いたい場合に適している。
【００２９】  図１３、図１４は、請求項３記載の発明を、室内の窓枠や戸枠に対して、または、壁面の空きスペースに対して、実施する場合の、一実施形態を示してある。
第八と第九の実施例である。
最小スペースで、かつ極めて簡易に、室内物干しを設置することが可能になる。
図１５は、第八と第九の実施例の側面図である。
【００３０】  このように、本発明は、構成がシンプルであるので、室内のスペースに応じて、また用途に応じて、様々な、実施形態が可能となる。
【００３１】  なお、支軸部と軸受け具の形態は、本実施例のものに限らず、図１６、１７例示のような、支軸部が、雄螺子状で、軸受け具の支持部が、雌螺子状である、もしくは、支軸部が、雌螺子状で、軸受け具が、雄螺子状であるものでもよい。
その場合、台足部が、支柱部下端部に対して、螺子着されるものとし、高さ調整可能にする。
【００３２】  また、支軸部と、軸受け具の支持部との間に、支軸部外周面と支持部内周面の密着度を調整するための、円筒状の中間部材を介してもよい。
【００３３】  さらに、物干し体の支柱部の下端に取り付ける、キャスター、支持バー、支持板の形状、材質に関しては、任意に選択する。
【図面の簡単な説明】
【００３４】
【図１】第一の実施例の正面図である。
【図２】第一の実施例の側面図である。
【図３】第二の実施例の側面図である。
【図４】第三の実施例の側面図である。
【図５】第四の実施例の正面図である。
【図６】第一の利便性に関する説明図。
【図７】第二の利便性に関する説明図。
【図８】第五の実施例の正面図である。
【図９】第六の実施例の正面図である。
【図１０】第六の実施例の平面図である。
【図１１】第七の実施例の正面図である。
【図１２】第七の実施例の側面図である。
【図１３】第八の実施例の正面図である。
【図１４】第九の実施例の正面図である。
【図１５】第八及び九の実施例の側面図である。
【図１６】支軸部と軸受け具の一形態を示す図である。
【図１７】支軸部と軸受け具の一形態を示す図である。
【符号の説明】
１．物干し体
１ａ．支軸部
１ｂ．物干し部
１ｐ．支柱部
１ｆ．台足部
２．軸受け具
２ａ．支持部
２ｂ．取り付け台
３．収納棚
３Ｓ．収納棚の側面板
３Ｕ．収納棚の上面板
【図１】
2009247850.tif 000003
【図２】
2009247850.tif 000004
【図３】
2009247850.tif 000005
【図４】
2009247850.tif 000006
【図５】
2009247850.tif 000007
【図６】
2009247850.tif 000008
【図７】
2009247850.tif 000009
【図８】
2009247850.tif 000010
【図９】
2009247850.tif 000011
【図１０】
2009247850.tif 000012
【図１１】
2009247850.tif 000013
【図１２】
2009247850.tif 000014
【図１３】
2009247850.tif 000015
【図１４】
2009247850.tif 000016
【図１５】
2009247850.tif 000017
【図１６】
2009247850.tif 000018
【図１７】
2009247850.tif 000019